(57)【要約】【課題】パレットに専用取付穴等を設けたりすることなく、パレットに取り付けることのできるＩＤタグを提供する。【解決手段】パレット２に設けられた挿入穴１０の中に装着されて樹脂材料からなるパレット用ＩＣタグ２０であって、ＩＣタグインレット２１が配設される基体２２であって、挿入穴の内壁面に対向する側に第一支持部２３を有する基体と、基体の外側に延在して変形により弾性支持力を発生させる弾性支持体３０，４０であって、挿入穴の内壁面に対向する側に第二支持部３４，４４を有する弾性支持体と、を備えて、挿入穴の中に挿入されると、基体の第一支持部と弾性支持体の第二支持部とが弾性支持力で挿入穴の内壁面に対して圧接されることにより、挿入穴の内壁面に対して弾性的に係止される。【選択図】図２
2009107651.tif 000002
【特許請求の範囲】
【請求項１】
パレットに設けられた挿入穴の中に装着されて樹脂材料からなるパレット用ＩＣタグであって、
ＩＣタグインレットが配設される基体であって、挿入穴の内壁面に対向する側に第一支持部を有する基体と、
基体の外側に延在して変形により弾性支持力を発生させる弾性支持体であって、挿入穴の内壁面に対向する側に第二支持部を有する弾性支持体と、を備えて、
挿入穴の中に挿入されると、基体の第一支持部と弾性支持体の第二支持部とが前記弾性支持力で挿入穴の内壁面に対して圧接されることにより、挿入穴の内壁面に対して弾性的に係止されることを特徴とするパレット用ＩＣタグ。
【請求項２】
前記弾性支持体が薄肉支持部を介して基体に接続されていて、薄肉支持部を基点にして弾性支持体を折曲させることにより前記弾性支持力を発生させることを特徴とする、請求項１記載のパレット用ＩＣタグ。
【請求項３】
前記弾性支持体が、側面に沿ってアーム状に延在するとともに周囲の側面よりも外側に突出するように構成されていて、アーム状の弾性支持体を内側に湾曲させることにより前記弾性支持力を発生させることを特徴とする、請求項１記載のパレット用ＩＣタグ。
【請求項４】
前記弾性支持体がＵ字形状をしていて、弾性支持体を湾曲させることにより前記弾性支持力を発生させることを特徴とする、請求項１記載のパレット用ＩＣタグ。
【請求項５】
前記弾性支持体が基体から立体的に放射状に延在して、弾性支持体を湾曲させることにより前記弾性支持力を発生させることを特徴とする、請求項１記載のパレット用ＩＣタグ。
【請求項６】
前記弾性支持体が少なくとも一つ設けられていることを特徴とする、請求項１乃至４のいずれかに記載のパレット用ＩＣタグ。
【請求項７】
前記挿入穴の断面形状が方形形状である場合には、前記弾性支持体が四つ設けられていることを特徴とする、請求項１乃至４のいずれかに記載のパレット用ＩＣタグ。
【請求項８】
前記第二支持部が対向する内壁面と並行になるように加工されていて、挿入穴の中に挿入されると挿入穴の内壁面に対して面接触することを特徴とする、請求項１乃至７のいずれかに記載のパレット用ＩＣタグ。
【請求項９】
挿入穴の中に挿入されたときに挿入穴の内壁面に接触する部分には、摩擦力を向上させる摩擦力向上体が形成されていることを特徴とする、請求項１記載のパレット用ＩＣタグ。
【請求項１０】
請求項１乃至９のいずれかに記載されたパレット用ＩＣタグを、パレットに設けられた挿入穴の中に装着固定する方法であって、
前記弾性支持体を圧縮縮小状態で保持しながらパレットの挿入穴の中に挿入するステップと、
圧縮縮小状態で保持された弾性支持体を解放して弾性支持力を発生させるステップと、
弾性支持体が弾性支持力により伸張拡大するステップと、
基体の第一支持部と弾性支持体の第二支持部とが弾性支持力で挿入穴の内壁面に対して圧接されることにより、挿入穴の内壁面に対して弾性的に係止されるステップと、
を備えることを特徴とする、パレットに対するＩＣタグの取付方法。
【発明の詳細な説明】
【技術分野】
【０００１】
本発明は、物品の運搬、移送、保管等に使用されるパレットに対して装着固定されるＩＤタグ、及び、パレットへのＩＣタグの取付方法に関する。
【背景技術】
【０００２】
木製パレットの中央桁に取付用の穴を形成し、その穴の中にＩＣタグを挿入したあと、樹脂を注入・固化させることにより、パレットの穴の中にＩＣタグを取り付けることが開示されている（例えば、特許文献１を参照。）。
【０００３】
また、パレットの側面において、中央部が狭開口で外側開口部が広開口である貫通孔を形成し、貫通孔の中にＩＣタグを取り付けることが開示されている（例えば、特許文献２を参照。）
【０００４】
さらにまた、パレットのデッキボードの桟又はパレットの側面部において通孔を形成し、通孔の中にＩＣタグを取り付けることが開示されている（例えば、特許文献３を参照。）
【０００５】
さらにまた、パレットの桁内にＩＣタグホルダー収納部材を配置し、ＩＣタグホルダー収納部材に対してＩＣタグホルダー部材を係合状態で取り付けることが開示されている（例えば、特許文献４を参照。）
【０００６】
上記従来のいずれの取付方法においても、パレットに取付専用の穴や孔を設けたり、又は、ＩＣタグとは別体の専用取付部材を用いたりすることにより、ＩＣタグがパレットに取り付けられている。したがって、従来のＩＣタグ及びパレットに対するＩＣタグの取付方法においては、専用の取付穴等を有していないパレットに対しては何らかの特別な加工を必要とするので、汎用性が乏しい、言い換えればパレットに対するＩＣタグの取付に関する自由度が低いという問題がある。
【０００７】
【特許文献１】特開平０５−８５５４５号公報
【特許文献２】特開２００５−１１９６７０号公報
【特許文献３】特開平０９−２５４９８３号公報
【特許文献４】特開２００５−２８０７８４号公報
【発明の開示】
【発明が解決しようとする課題】
【０００８】
したがって、本発明の解決すべき技術的課題は、パレットに専用取付穴等を設けたりすることなく、パレットに取り付けることのできるＩＤタグ、及び、パレットに対してＩＣタグを取り付ける方法を提供することである。
【課題を解決するための手段及びその作用と効果】
【０００９】
上述の技術的課題を解決するために、本発明に係るパレット用ＩＣタグ、及びパレットへのＩＣタグの取付方法は、以下の特徴を有する。
【００１０】
すなわち、本発明に係るパレット用ＩＣタグは、
パレットに設けられた挿入穴の中に装着されて樹脂材料からなるパレット用ＩＣタグであって、
ＩＣタグインレットが配設される基体であって、挿入穴の内壁面に対向する側に第一支持部を有する基体と、
基体の外側に延在して変形により弾性支持力を発生させる弾性支持体であって、挿入穴の内壁面に対向する側に第二支持部を有する弾性支持体と、を備えて、
挿入穴の中に挿入されると、基体の第一支持部と弾性支持体の第二支持部とが前記弾性支持力で挿入穴の内壁面に対して圧接されることにより、挿入穴の内壁面に対して弾性的に係止されることを特徴とする。
【００１１】
ところで、一般に、パレットには、専用の取付穴を設けなくとも、桁部のデッキ面や側面において貫通孔が既に設けられている。そこで、本願発明においては、既設の貫通孔をＩＣタグの取付に利用しようとするものである。
【００１２】
上記パレット用ＩＣタグによれば、ＩＣタグを構成する樹脂材料が変形するときに発生する弾性支持力を利用して、基体の第一支持部と弾性支持体の第二支持部とが挿入穴の内壁面に対して圧接されるので、基体及び弾性支持体とが挿入穴の内壁面に対して弾性的に係止される。したがって、パレットに専用取付穴を形成することなく、パレット自身に予め設けられている挿入穴に取り付けることのできる。
【００１３】
このような弾性支持力を発生させるためには様々な構成を用いることが可能であるが、例えば、弾性支持体が薄肉支持部を介して基体に接続されていて、薄肉支持部を基点にして弾性支持体を折曲させることである。
【００１４】
あるいは、弾性支持体が、側面に沿ってアーム状に延在するとともに周囲の側面よりも外側に突出するように構成されていて、アーム状の弾性支持体を内側に湾曲させることである。
【００１５】
あるいは、弾性支持体がＵ字形状をしていて、弾性支持体を湾曲させることである。
【００１６】
あるいは、弾性支持体が基体から立体的に放射状に延在して、弾性支持体を湾曲させることである。
【００１７】
ＩＣタグの確実な係止を得るために、弾性支持体が少なくとも一つ設けられている。
【００１８】
ＩＣタグのより確実な係止を得るために、挿入穴の断面形状が方形形状である場合には、前記弾性支持体が四つ設けられていることが好適である。
【００１９】
挿入穴の内壁面に対して線接触する構成でも可能であるが、ＩＣタグのより確実な係止を得るために、第二支持部が対向する内壁面と並行になるように加工されていて、挿入穴の中に挿入されると挿入穴の内壁面に対して面接触することが好適である。
【００２０】
挿入穴の中に挿入されたときに挿入穴の内壁面に接触する部分には、摩擦力を向上させる摩擦力向上体が形成されていることが好適である。
【００２１】
上述したパレット用ＩＣタグは、
前記弾性支持体を圧縮縮小状態で保持しながらパレットの挿入穴の中に挿入するステップと、
圧縮縮小状態で保持された弾性支持体を解放して弾性支持力を発生させるステップと、
弾性支持体が弾性支持力により伸張拡大するステップと、
基体の第一支持部と弾性支持体の第二支持部とが弾性支持力で挿入穴の内壁面に対して圧接されることにより、挿入穴の内壁面に対して弾性的に係止されるステップと、に従って、パレットに設けられた挿入穴の中に装着固定される。
【発明を実施するための最良の形態】
【００２２】
以下に、本発明の第一実施形態に係る樹脂製ＩＣタグ２０（以下、ＩＣタグ２０という。）、及びＩＣタグ２０をパレット２に設けられた挿入穴１０の中に装着固定する方法について、図１乃至４を参照しながら詳細に説明する。
【００２３】
図１は、本発明の第一実施形態に係るＩＣタグ２０を説明する正面図である。図２は、ＩＣタグ２０をパレット２の挿入穴１０に装着した状態を示す断面図である。図３は、図２に示した装着状態を他の方向から見た断面図である。図４は、図２に示した装着状態を上面から見た図である。
【００２４】
適度な弾力性や柔軟性や可撓性を有する材料、例えば、ポリエチレン、ポリプロピレン、ポリエステル、ポリアミド等の樹脂材料の射出成形等の各種成形方法によって作成されているＩＣタグ２０は、図１に示すように、上下方向に延在する大略方形形状をした縦長の基体２２と、基体２２の外側に延在する大略台形形状をした上下の折曲フィン３０，４０と、基体２２の外側に延在する大略小丘状に突出した左右の弾性支持体２４，２６と、を備えている。装着前のＩＣタグ２０は、全体としてフラットな形状をしている。
【００２５】
基体２２はＩＣタグインレット２１を配設するためのものであり、ＩＣタグインレット２１が基体２２の表面又は内部に配設される。ＩＣタグインレット２１は、接着又は熱熔着や超音波熔着等の各種固定方法によって基体２２に固定される。基体２２は、ＩＣタグインレット２１を配設して支持するための支持部材でもあるから、少なくともＩＣタグインレット２１が配設される部分及びその周辺部分においては、基体２２自身が変形しにくいように肉厚に構成されていることが好ましい。
【００２６】
ＩＣタグインレット２１は、シリコンチップからなるＩＣチップが基材上に搭載された構成をしている。ＩＣチップには、パレット上に載置される物品に関する情報（例えば、製造者特定情報、生産管理情報、品番情報、製品特性情報等）、パレットに関する情報（例えば、材質情報、配送先情報等）といった電子的な情報が格納されている。このようなＩＣチップは、半導体集積回路であるＩＣチップ又はさらに集積度のアップしたＬＳＩチップである。
【００２７】
ＩＣタグインレット２１の基板のおもて面の上には、不図示のアンテナパターンが形成されている。アンテナパターンの中心側電極端子のそれぞれに対して、ＩＣチップの接続端子が電気的に接続されている。使用する電波の波長に応じて様々なアンテナパターンを用いることができる。アンテナパターンは、従来から使用されている銅箔に近い導電性を持った導電性フィラーを含む低抵抗ペーストを用いて印刷又は転写によって形成されたり、銅箔やアルミ箔などの金属箔によって形成されたりすることができる。
【００２８】
上折曲フィン３０及び下折曲フィン４０の高さ寸法は、挿入対象の挿入穴１０の幅寸法（ある内壁面とそれに対向する内壁面との間の寸法）よりも長寸に構成されている。また、後述する左弾性支持部２４及び右弾性支持部２６を含む基体２２の幅寸法も、挿入対象の挿入穴１０の幅寸法（ある内壁面とそれに対向する内壁面との間の寸法）よりも長寸に構成されている。
【００２９】
上折曲フィン３０は、薄肉支持部３２を介して基体２２の上端と接続されている。また、下折曲フィン４０は、薄肉支持部４２を介して基体２２の下端と接続されている。薄肉支持部３２，４２は、折曲フィン３０，４０の折曲方向と反対の面に溝が形成されたいわゆるハーフカットにより形成されている。薄肉支持部３２，４２を基点にして折曲フィン３０，４０を折り曲げると、元のフラットな形状に戻ろうとする弾性復元力が作用する。
【００３０】
上折曲フィン３０の上端面である第二当接面（第二支持部）３４及び下折曲フィン４０の下端面である第二当接面（第二支持部）４４は、それぞれ、パレット２の挿入穴１０に挿入したときに挿入穴１０の内壁面と接触する部分である。折曲フィン３０，４０の各端面３４，４４を折曲フィン３０，４０の表面に対して直角面とすることもできるが、ＩＣタグ２０を挿入穴１０の中に装着したときには、直角面の縁が線状に接触することになり、弾性係止力が不足することもありうる。内壁面に対する第二支持部の接触面積を大きくするために、折曲フィン３０，４０の各端面３４，４４を折曲フィン３０，４０の表面に対して傾斜した面とすることが好適である。その結果、ＩＣタグ２０を挿入穴１０の中に装着したときには、傾斜した第二当接面（第二支持部）３４，４４が面状に接触することになり、弾性係止力が向上する。
【００３１】
また、基体２２の左側面部分及び右側面部分においては、左弾性支持部２４及び右弾性支持部２６がそれぞれ設けられている。左弾性支持部２４及び右弾性支持部２６は、ＩＣタグインレット２１が配設される配設部分の周辺部分よりもさらに外側に位置して外側に突出するように湾曲している。左弾性支持部２４及び右弾性支持部２６は、ＩＣタグインレット２１が配設される部分及びその周辺部分よりも薄肉であり、応力の印加により変形可能に構成されている。
【００３２】
左弾性支持体２４の左端面である第二当接面（第二支持部）２５及び右弾性支持体２６の右端面である第二当接面（第二支持部）２７は、それぞれ、パレット２の挿入穴１０に挿入したときに挿入穴１０の内壁面と接触する部分である。弾性支持体２４，２６の各端面２５，２７を弾性支持体２４，２６の表面に対して直角面とすることもできるが、ＩＣタグ２０を挿入穴１０の中に装着したときには、直角面の縁が線状に接触することになり、弾性係止力が不足することもありうる。内壁面に対する第二支持部の接触面積を大きくするために、弾性支持体２４，２６の各端面２５，２７を弾性支持体２４，２６の表面に対して傾斜した面とすることが好適である。その結果、ＩＣタグ２０を挿入穴１０の中に装着したときには、傾斜した第二当接面（第二支持部）２５，２７が面状に接触することになり、弾性係止力が向上する。
【００３３】
次に、このようなパレット用ＩＣタグ２０が装着固定される相手方のパレット２について説明する。
【００３４】
パレット２は、上デッキ面４及び下デッキ面６が平面矩形状に成形された樹脂成形品である。パレット２の２側面（矩形の対辺となる２側面）に、それぞれ、フォークリフトの爪を差し込むためのフォーク差込口が設けられている。パレット２に対してＸ方向及びＹ方向の２方向からフォークリフトの爪を差し込むことが可能である（２方差しタイプ）。フォーク差込口は、パレット２の中心（幅方向の中心）に対して左右対称の位置に設けられている。フォークリフトの爪をＸ方向及びＹ方向から差し込むために、上デッキ４面及び下デッキ面６を支持する支柱部８は、四隅の四箇所と、各側面中央部の四箇所と、中心部の一箇所との合計九箇所に存する。各支柱部８の上デッキ面４や下デッキ面６や側面には、複数個の挿入穴１０が通常配設されている。
【００３５】
パレット２の挿入穴１０は、貫通穴又は有底穴のいずれであってもよく、方形形状や三角形状等の多角形形状や円筒形状のいずれであってもよい。このような挿入穴１０の様々な形状や寸法に合わせて、ＩＣタグ２０の形状や寸法が予め構成される。
【００３６】
一例として、方形形状をした挿入穴１０に対して図１に示したパレット用ＩＣタグ２０を装着固定する方法について、図２乃至４を参照しながら説明する。
【００３７】
方形形状をした挿入穴１０は、第一内壁面１２と、第一内壁面１２に対向する第二内壁面１４と、第一内壁面１０に直交状態で隣接する第三内壁面１６と、第三内壁面１６に対向する第四内壁面１８と、を備えている。なお、挿入穴１０の形態は、このような方形形状に限定されるものではない。
【００３８】
パレット２の挿入穴１０に装着する前のＩＣタグ２０は、全体としてフラットな形状をしているが、挿入・装着作業に先だって、上折曲フィン３０及び下折曲フィン４０は、薄肉支持部３２，４２を基点にして折り曲げられて、圧縮縮小状態になる。折曲状態のＩＣタグ２０をパレット２の挿入穴１０に挿入することができるくらいに、上折曲フィン３０及び下折曲フィン４０を折り曲げるための圧縮縮小力が印加される。このような折曲状態を保持しながらＩＣタグ２０がタグの長手方向に沿ってパレット２の挿入穴１０に挿入される。
【００３９】
パレット２の挿入穴１０に折曲状態で挿入されたＩＣタグ２０を解放すると、折曲状態のＩＣタグ２０が元のフラットな形状に戻ろうとして、弾性復元力が発生する。したがって、弾性支持体としての上折曲フィン３０及び下折曲フィン４０と薄肉支持部３２，４２とにおいて、薄肉支持部３２，４２を介して上折曲フィン３０及び下折曲フィン４０を折曲すると、それぞれ、元の形状に戻ろうとする弾性復元力が作用する。
【００４０】
発生した弾性復元力により、上折曲フィン３０及び下折曲フィン４０が挿入穴１０の中で伸張拡大しようとする。
【００４１】
上折曲フィン３０及び下折曲フィン４０の伸張拡大の過程で、上折曲フィン３０の第二当接面３４及び下折曲フィン４０の第二当接面４４が、それぞれ、パレット２の挿入穴１０の第二内壁面１４に対して弾性的に当接する、すなわち圧接する。このとき、基体２２の第一当接面２３も、パレット２の挿入穴１０の第一内壁面１２に対して弾性的に当接する、すなわち圧接する。第一内壁面１２と第一内壁面１２に対向する第二内壁面１４との間で上折曲フィン３０及び下折曲フィン４０が弾性的に突っ張っているので、ＩＣタグ２０は、パレット２の挿入穴１０の内壁面１２，１４に対して弾性的に係止される。
【００４２】
上折曲フィン３０及び下折曲フィン４０を折り曲げてパレット２の挿入穴１０に挿入する際に、あるいは、上折曲フィン３０及び下折曲フィン４０を折り曲げてパレット２の挿入穴１０に挿入することとは別に、ＩＣタグ２０の長手直交方向を僅かに湾曲させることにより、左弾性支持体２４及び右弾性支持体２６は、圧縮縮小状態になる。湾曲状態のＩＣタグ２０をパレット２の挿入穴１０に挿入することができるくらいに、左弾性支持体２４及び右弾性支持体２６を湾曲するための圧縮縮小力が印加される。このような湾曲状態を保持しながらＩＣタグ２０がタグの長手方向に沿ってパレット２の挿入穴１０に挿入される。
【００４３】
パレット２の挿入穴１０に湾曲状態で挿入されたＩＣタグ２０を解放すると、湾曲状態のＩＣタグ２０が元のフラットな形状に戻ろうとして、弾性復元力が発生する。
【００４４】
発生した弾性復元力により、左弾性支持体２４及び右弾性支持体２６が挿入穴１０の中で伸張拡大しようとする。
【００４５】
左弾性支持体２４及び右弾性支持体２６の伸張拡大の過程で、左弾性支持体２４の第二当接面２５及び右弾性支持体２６の第二当接面２７が、それぞれ、パレット２の挿入穴１０の第三内壁面１６及び第四内壁面１８に対して弾性的に当接する、すなわち圧接する。第三内壁面１６と第三内壁面１６に対向する第四内壁面１８との間で左弾性支持体２４及び右弾性支持体２６が弾性的に突っ張っているので、ＩＣタグ２０は、パレット２の挿入穴１０の内壁面１６，１８に対して弾性的に係止される。
【００４６】
なお、上記第一実施形態の変形例として、上折曲フィン３０と基体２２との間及び下折曲フィン４０と基体２２との間をつなぐように圧縮バネをそれぞれ介在配置する構成とすることもできる。このような構成によれば、上折曲フィン３０及び下折曲フィン４０を折り畳んだときに、折り畳まれた上折曲フィン３０及び下折曲フィン４０を押し拡げるようなバネ弾性力が発生する。このようなバネ弾性力も、湾曲状態のＩＣタグ２０が元のフラットな形状に戻ろうとする上述した弾性復元力と同じ働きをする。
【００４７】
次に、本発明の第二実施形態に係るパレット用ＩＣタグ２０について、図５を参照しながら詳細に説明する。上述した第一実施形態のパレット用ＩＣタグ２０との相違点を中心に説明する。
【００４８】
図５に示すように、第二実施形態に係るパレット用ＩＣタグ２０は、第一実施形態のパレット用ＩＣタグ２０と比較して、左右の側面部に設けられた弾性支持体５０，６０の構成が相違している。
【００４９】
基体２２の左側面部分及び右側面部分においては、左弾性支持部としての左支持アーム体５０及び右弾性支持部としての右支持アーム体６０がそれぞれ設けられている。左支持アーム体５０及び右支持アーム体６０は、ＩＣタグインレット２１が配設される配設部分の周辺部分よりもさらに外側に位置して外側に突出するように湾曲しているとともに、略Ｔ字状に切欠かれた切欠部５２，６２により応力の印加で内側に弾性的に湾曲することができる。
【００５０】
弾性支持体としての左支持アーム体５０及び右支持アーム体６０を内側に向けて湾曲すると、それぞれ、元の形状に戻ろうとする弾性復元力が作用する。
【００５１】
左支持アーム体５０の左端面である第二当接面（第二支持部）２５及び右弾性支持体２６の右端面である第二当接面（第二支持部）２７は、それぞれ、パレット２の挿入穴１０に挿入したときに挿入穴１０の内壁面と接触する部分である。支持アーム体５０，６０の各端面２５，２７を支持アーム体５０，６０の表面に対して直角面とすることもできるが、ＩＣタグ２０を挿入穴１０の中に装着したときには、直角面の縁が線状に接触することになり、弾性係止力が不足することもありうる。そこで、支持アーム体５０，６０の各端面２５，２７を支持アーム体５０，６０の表面に対して傾斜した面とすることが好適である。その結果、ＩＣタグ２０を挿入穴１０の中に装着したときには、傾斜した第二当接面（第二支持部）２５，２７が面状に接触することになり、弾性係止力が向上する。
【００５２】
次に、本発明の第三実施形態に係るパレット用ＩＣタグ２０について、図６を参照しながら詳細に説明する。上述した第一実施形態及び第二実施形態のパレット用ＩＣタグ２０との相違点を中心に説明する。
【００５３】
図６に示すように、第三実施形態に係るパレット用ＩＣタグ２０は、第一実施形態及び第二実施形態のパレット用ＩＣタグ２０と比較して、下側には第一実施形態で示した折曲フィンが設けられているとともに、上側には第二実施形態で示した支持アーム体の下半分が設けられているという構成が相違している。
【００５４】
基体２２の下部分においては、第一実施形態で説明したのと同様に、薄肉支持部４２を介して下折曲フィン４０が接続されている。また、基体２２の上部分においては、第二実施形態で説明したのと同様に、左弾性支持部としての左支持アーム体５０及び右弾性支持部としての右支持アーム体６０がそれぞれ一つずつ設けられている。
【００５５】
弾性支持体としての左支持アーム体５０及び右支持アーム体６０を内側に向けて湾曲する（弾性支持体の全体形状が縮小するように変形させる）と、それぞれ、元の形状に戻ろうとする弾性復元力が作用する。
【００５６】
次に、本発明の第四実施形態に係るパレット用ＩＣタグ２０について、図７を参照しながら詳細に説明する。上述した第一実施形態のパレット用ＩＣタグ２０との相違点を中心に説明する。
【００５７】
図７に示すように、第四実施形態に係るパレット用ＩＣタグ２０は、第一実施形態のパレット用ＩＣタグ２０と比較して、基体２２の左側面部分及び右側面部分において、第一実施形態で示したのと同様の折曲フィンがそれぞれ設けられているという構成が相違している。
【００５８】
基体２２の上下部分においては、第一実施形態で説明したのと同様に、薄肉支持部４２を介して上折曲フィン３０及び下折曲フィン４０がそれぞれ接続されていることに加えて、基体２２の左側面部分及び右側面部分においても、第一実施形態で示したのと同様に、薄肉支持部５８，６８を介して左折曲フィン５６及び右折曲フィン６６がそれぞれ接続されている。
【００５９】
弾性支持体としての左折曲フィン５６及び右折曲フィン６６と薄肉支持部５８，６８とにおいて、薄肉支持部５８，６８を介して左折曲フィン５６及び右折曲フィン６６を折曲する（弾性支持体の全体形状が縮小するように変形させる）と、それぞれ、元の形状に戻ろうとする弾性復元力が作用する。
【００６０】
基体２２の左側面部分及び右側面部分において、薄肉支持部５８，６８を介して左折曲フィン５６及び右折曲フィン６６がそれぞれ接続された構成に代えて、クルクルと巻き上げることのできる程度の長さと肉厚とを有する巻き上げ部とすることができる。大略フラットな形状をした巻き上げ部をクルクルと巻き上げた縮小変形状態にしてパレット２の挿入穴１０に挿入すると、巻き上げ部が元の大略フラットな形状に戻ろうとする弾性復元力が作用するが、巻き上げ部は、挿入穴１０の内壁面に規制されながら挿入穴１０の内壁面に沿って伸張拡大しようとする。巻き上げ部がクルクルと巻き上げた縮小変形状態から伸張拡大状態に変化する過程で、巻き上げ部の上面又は下面は挿入穴１０の内壁面に対してより大きな接触面積で当接することができるので、弾性係止力のさらなる向上を図ることができる。
【００６１】
次に、本発明の第五実施形態に係るパレット用ＩＣタグ２０について、図８を参照しながら詳細に説明する。上述した第一実施形態のパレット用ＩＣタグ２０との相違点を中心に説明する。
【００６２】
図８に示すように、第五実施形態に係るパレット用ＩＣタグ２０は、第一実施形態のパレット用ＩＣタグ２０と比較して、基体２２の上下部分において、上湾曲体８０及び下湾曲体８２がそれぞれ設けられているという構成が相違している。
【００６３】
基体２２の上側に延在する大略Ｕ字形状をした弾性支持体としての上湾曲体８０と基体２２の下側に延在する大略Ｕ字形状をした弾性支持体としての下湾曲体８２とを湾曲する（弾性支持体の全体形状が縮小するように変形させる）と、それぞれ、元のＵ字形状に戻ろうとする弾性復元力が作用する。
【００６４】
上湾曲体８０の外側面である第二当接面（第二支持部）３４及び下湾曲体８２の外側面である第二当接面（第二支持部）４４は、それぞれ、パレット２の挿入穴１０に挿入したときに挿入穴１０の内壁面と接触する部分である。
【００６５】
上湾曲体８０の第二当接面（第二支持部）３４及び下湾曲体８２の第二当接面（第二支持部）４４と基体２２の第一当接面（第一支持部）２３との間の高さ寸法は、挿入対象の挿入穴１０の幅寸法（ある内壁面とそれに対向する内壁面との間の寸法）よりも長寸に構成されている。
【００６６】
パレット２の挿入穴１０に装着する前のＩＣタグ２０は、挿入に先だって、上湾曲体８０及び下湾曲体８２は、湾曲されて、圧縮縮小状態になる。湾曲縮小状態のＩＣタグ２０をパレット２の挿入穴１０に挿入することができるくらいに、上湾曲体８０及び下湾曲体８２を湾曲するための圧縮縮小力が印加される。このような湾曲縮小状態を保持しながらＩＣタグ２０がタグの長手方向に沿ってパレット２の挿入穴１０に挿入される。
【００６７】
パレット２の挿入穴１０に湾曲縮小状態で挿入されたＩＣタグ２０を解放すると、湾曲縮小状態のＩＣタグ２０が元の湾曲伸張形状に戻ろうとして、弾性復元力が発生する。
【００６８】
発生した弾性復元力により、上湾曲体８０及び下湾曲体８２が挿入穴１０の中で伸張拡大しようとする。
【００６９】
上湾曲体８０及び下湾曲体８２の伸張拡大の過程で、上湾曲体８０の第二当接面３４及び下湾曲体８２の第二当接面４４が、それぞれ、パレット２の挿入穴１０の第二内壁面１４に対して弾性的に当接する、すなわち圧接する。このとき、基体２２の第一当接面２３も、パレット２の挿入穴１０の第一内壁面１２に対して弾性的に当接する、すなわち圧接する。第一内壁面１２と第一内壁面１２に対向する第二内壁面１４との間で上折曲フィン３０及び下折曲フィン４０が弾性的に突っ張っているので、ＩＣタグ２０は、パレット２の挿入穴１０の内壁面１２，１４に対して弾性的に係止される。
【００７０】
次に、本発明の第六実施形態に係るパレット用ＩＣタグ２０について、図９及び１０を参照しながら詳細に説明する。上述した第一実施形態のパレット用ＩＣタグ２０との相違点を中心に説明する。
【００７１】
図９及び１０に示すように、第六実施形態に係るパレット用ＩＣタグ２０は、第一実施形態のパレット用ＩＣタグ２０と比較して、基体２２から傘骨状の骨格体７２が立体的に放射状に延在していて予め立体構造を有しているという点が相違している。
【００７２】
基体２２の縁部から放射状に、８本の傘骨状の立体的形状を有する骨格体７２が延在している。弾性支持体としての傘骨状の骨格体７２を湾曲する（弾性支持体の全体形状が縮小するように変形させる）と、それぞれ、元の形状に戻ろうとする弾性復元力が作用する。
【００７３】
傘骨状の骨格体７２の外側面である第二当接面（第二支持部）７４は、それぞれ、パレット２の挿入穴１０に挿入したときに挿入穴１０の内壁面と接触する部分である。
【００７４】
傘骨状の骨格体７２の第二当接面（第二支持部）７４と基体２２の第一当接面（第一支持部）２３との間の高さ寸法は、挿入対象の挿入穴１０の幅寸法（ある内壁面とそれに対向する内壁面との間の寸法）よりも長寸に構成されている。
【００７５】
パレット２の挿入穴１０に装着する前のＩＣタグ２０は、挿入に先だって、各傘骨状の骨格体７２は湾曲されて圧縮縮小状態になる。湾曲縮小状態のＩＣタグ２０をパレット２の挿入穴１０に挿入することができるくらいに、傘骨状の骨格体７２を湾曲するための圧縮縮小力が印加される。このような湾曲縮小状態を保持しながらＩＣタグ２０がタグの長手方向に沿ってパレット２の挿入穴１０に挿入される。
【００７６】
パレット２の挿入穴１０に湾曲縮小状態で挿入されたＩＣタグ２０を解放すると、湾曲縮小状態のＩＣタグ２０が元の形状に戻ろうとして、弾性復元力が発生する。
【００７７】
発生した弾性復元力により、傘骨状の骨格体７２が挿入穴１０の中で伸張拡大しようとする。
【００７８】
傘骨状の骨格体７２の伸張拡大の過程で、傘骨状の骨格体７２の各第二当接面７４が、それぞれ、パレット２の挿入穴１０の第二内壁面１４に対して弾性的に当接する、すなわち圧接する。このとき、基体２２の第一当接面２３も、パレット２の挿入穴１０の第一内壁面１２に対して弾性的に当接する、すなわち圧接する。第一内壁面１２と第一内壁面１２に対向する第二内壁面１４との間で傘骨状の骨格体７２が弾性的に突っ張っているので、ＩＣタグ２０は、パレット２の挿入穴１０の内壁面１２，１４に対して弾性的に係止される。
【００７９】
なお、図９及び１０に示した実施形態では、全ての傘骨状の骨格体７２が一方向（図１０においては左向き）に延在しているが、傘骨状の骨格体７２の延在方向を互い違いにするように構成することもできる。
【００８０】
なお、上記いずれの実施形態においても、基体２２及び弾性支持体は樹脂材料からなるが、各弾性支持体は、折曲又は湾曲したときに、適切な弾性支持力を作用することができるように寸法構成されていて、基体２２は好ましくは湾曲変形しないように肉厚に寸法構成されている。
【００８１】
なお、上記いずれの実施形態においても、第二支持部は、挿入穴１０の内壁面に対して縁部が当接する線接触の構成であってもよいが、ＩＣタグ２０のより確実な係止を得るために、第二支持部が対向する内壁面と並行になるように斜面の第二当接面に加工されていて、挿入穴１０の中に挿入されると挿入穴１０の内壁面に対して第二当接面が面接触することが好適である。
【００８２】
また、上記いずれの実施形態においても、各内壁面１２，１４，１６，１８と当接する面、すなわち、基体２２の第一当接面２３及び弾性支持体３０，４０，２４，２６，５０，６０，５６，６６，８０，８２，７２の各第二当接面３４，４４，２５，２７，７４に対して、摩擦力を向上させる摩擦力向上体が形成されている。摩擦力向上体として、当接面を粗面にしたり微小溝を形成したりすること、当接面を摩擦係数の大きいエラストマーで被覆すること等が可能である。
【図面の簡単な説明】
【００８３】
【図１】本発明の第一実施形態に係るパレット用ＩＣタグの正面図である。
【図２】ＩＣタグをパレットの穴に装着した状態を示す断面図である。
【図３】図２に示した装着状態を他の方向から見た断面図である。
【図４】図２に示した装着状態を上面から見た図である。
【図５】本発明の第二実施形態に係るパレット用ＩＣタグの正面図である。
【図６】本発明の第三実施形態に係るパレット用ＩＣタグの正面図である。
【図７】本発明の第四実施形態に係るパレット用ＩＣタグの正面図である。
【図８】本発明の第五実施形態に係るパレット用ＩＣタグの断面図である。
【図９】本発明の第六実施形態に係るパレット用ＩＣタグの正面図である。
【図１０】図９に示したパレット用ＩＣタグの断面図である。
【符号の説明】
【００８４】
２：パレット
４：上デッキ面
６：下デッキ面
８：支柱部
１０：挿入穴
１２：第一内壁面
１４：第二内壁面
１６：第三内壁面
１８：第四内壁面
２０：パレット用ＩＣタグ
２１：ＩＣタグインレット
２２：基体
２３：第一当接面（第一支持部）
２４：左弾性支持体
２５：第二当接面（第二支持部）
２６：右弾性支持体
２７：第二当接面（第二支持部）
３０：上折曲フィン（上弾性支持体）
３２：薄肉支持部
３４：第二当接面（第二支持部）
４０：下折曲フィン（下弾性支持体）
４２：薄肉支持部
４４：第二当接面（第二支持部）
５０：左支持アーム（左弾性支持体）
５２：切欠部
５６：左折曲フィン（左弾性支持体）
５８：薄肉支持部
６０：右支持アーム（右弾性支持体）
６２：切欠部
６６：右折曲フィン（右弾性支持体）
６８：薄肉支持部
７２：傘骨状の骨格体（弾性支持体）
７４：第二当接面（第二支持部）
８０：上湾曲体（上弾性支持体）
８２：下湾曲体（下弾性支持体）
【図１】
2009107651.tif 000003
【図２】
2009107651.tif 000004
【図３】
2009107651.tif 000005
【図４】
2009107651.tif 000006
【図５】
2009107651.tif 000007
【図６】
2009107651.tif 000008
【図７】
2009107651.tif 000009
【図８】
2009107651.tif 000010
【図９】
2009107651.tif 000011
【図１０】
2009107651.tif 000012